(57)【要約】【課題】高レートデータ伝送網を介して低レートデータ伝送網間でデータ伝送を行うデータ伝送方法及びデータ伝送装置に関し、専用線と等価な特性とする。【解決手段】複数ポートの低レートデータ伝送網からのパケットデータを多重化部２によりバイト単位で時分割多重化し、パケットフレーム生成送出部３に於いて、高レートデータ伝送網に伝送するパケットフレームの情報フィールドに多重化データとポート対応の有効／無効ビットＥＮＢによる有効／無効フィールドとを挿入して、ヘッダ生成部４からのヘッダを付加して高レートデータ伝送網に送出する。受信したパケットフレームの情報フィールドの多重化データを多重分離部８により多重分離し、有効／無効ビットＥＮＢが有効を示す時に、パケットデータに復元して低レートデータ伝送網に送出する。【選択図】　　　図１
2004120503.tif 000002
【特許請求の範囲】
【請求項１】
高レートデータ伝送網を介して低レートデータ伝送網間でデータ伝送を行うデータ伝送方法に於いて、
複数ポート対応の前記低レートデータ伝送網から入力されたパケットデータを時分割多重し、前記複数ポート対応のパケットデータの有効／無効を示す有効／無効フィールドと多重化データとを情報フィールドに挿入し、宛先アドレスを含むヘッダを付加してパケットフレームを構成し、該パケットフレームを前記高レートデータ伝送網に送出する過程と、
前記高レートデータ伝送網を介して受信したパケットフレームの情報フィールドの多重化データを多重分離し、且つ前記有効／無効フィールドにより有効としたポート対応の前記多重分離したデータによりパケットデータを復元し、該パケットデータをポート対応の前記低レートデータ伝送網に送出する過程を含む
ことを特徴とするデータ伝送方法。
【請求項２】
前記複数ポート対応の低レートデータ伝送網の帯域を総て同一とし、該帯域を前記ポート数倍とした帯域を少なくとも前記高レートデータ伝送網に確保して、前記ポート毎に多重される位置が予め割当てらている前記高レートデータ伝送網を介して前記低レートデータ伝送網間のデータ伝送を行う過程を含むことを特徴とする請求項１記載のデータ伝送方法。
【請求項３】
高レートデータ伝送網を介して低レートデータ伝送網間のデータ伝送を行う為のデータ伝送装置に於いて、
前記高レートデータ伝送網に対する送信部と受信部とを有し、
前記送信部は、前記低レートデータ伝送網からのパケットデータを受信する複数ポートと、該複数ポート対応の入力バッファと、前記パケットデータを時分割多重する多重化部と、該多重化部による多重化データに、前記複数ポート対応のパケットデータの有効／無効を示す有効／無効フィールドを付加して情報フィールドに挿入し、ヘッダ生成部からのヘッダを付加してパケットフレームを形成して送出するパケットフレーム生成送出部とを有し、
前記受信部は、前記高レートデータ伝送網を介して受信したパケットフレームの情報フィールドから前記有効／無効フィールドと前記多重化データとを抽出するデータ抽出部と、該データ抽出部により抽出した多重化データを前記複数ポート対応に時分割多重分離を行う多重分離部と、前記複数ポート対応のデータの前記有効／無効フィールドにより有効を示すデータをパケットデータとして前記低レートデータ伝送網に送出する前記複数ポート対応の出力バッファとを有する
ことを特徴とするデータ伝送装置。
【請求項４】
前記多重分離部により分離され、且つ前記有効／無効フィールドにより有効としたデータによるパケットデータについてチェックを行うフレームチェック部を備えたことを特徴とする請求項３記載のデータ伝送装置。
【請求項５】
前記複数ポートを８ポートとし、前記多重化部により８ポート対応のパケットデータをバイト単位で多重化し、前記有効／無効フィールドを前記８ポート対応の８ビット構成とし、該８ビット構成の有効／無効ビットにより前記８ポート対応のパケットデータの有効／無効を表示する構成を有し、多重化される位置が各パケットデータ毎に予め割当ていることを特徴とする請求項３記載のデータ伝送装置。
【発明の詳細な説明】
【０００１】
【発明の属する技術分野】
本発明は、低レートデータ伝送網のデータを多重化して高レートデータ伝送網を介して伝送するデータ伝送方法及びデータ伝送装置に関する。
【０００２】
【従来の技術】
高レートデータ伝送網としては、例えば、ＳＯＮＥＴ（Ｓｙｎｃｈｒｏｎｏｕｓ　Ｏｐｔｉｃａｌ　Ｎｅｔｗｏｒｋ）又はＳＤＨ（Ｓｙｎｃｈｒｏｎｏｕｓ　Ｄｉｇｉｔａｌ　Ｈｉｅｒａｒｃｙ）が知られている。又１０００Ｂａｓｅ−Ｔ等のギガビット・イーサネット（登録商標）が知られている。何れも、数Ｇｂｐｓ以上の高レートデータ伝送が可能である。又低レートデータ伝送網としては、例えば、１０Ｍｂｐｓの伝送レートの１０Ｂａｓｅ−Ｔや、１００Ｍｂｐｓの伝送レートの１００Ｂａｓｅ−Ｔ等が知られている。又低レートデータ伝送網のデータを、高レートデータ伝送網のＳＯＮＥＴを介して伝送するシステムとして、パケット・オーバー・ＳＯＮＥＴ（ＰＯＳ）が知られている。
【０００３】
図６は従来のデータ伝送システムの説明図であり、６１−１〜６１−ｎ，６２−１〜６２−ｍは端末装置、６３，６４は多重装置、６５，６６は網終端装置、６７はＳＯＮＥＴ又はＳＤＨにより高速伝送を行う伝送網を示す。端末装置６１−１〜６１−ｎ，６２−１〜６２−ｍと多重装置６３，６４との間は、例えば、前述の１００Ｂａｓｅ−Ｔの低レートデータ伝送網を構成し、多重装置６３，６４と網終端装置６５，６６との間は、例えば、前述の１０００Ｂａｓｅ−Ｔの高レートデータ伝送網を構成し、又伝送網６７はＳＯＮＥＴやＳＤＨによる高レートデータ伝送網を構成している。
【０００４】
端末装置６１−１〜６１−ｎ，６２−１〜６２−ｍからのパケットデータを、多重装置６３，６４によりパケット多重し、網終端装置６５，６６に伝送する。網終端装置６５，６６は、パケットデータを多重化したパケットフレームを、ＳＯＮＥＴフレーム又はＳＤＨフレームのペイロードにマッピングして伝送網６７により伝送する。網終端装置６５，６６は、受信したＳＯＮＥＴフレーム又はＳＤＨフレームのペイロードからパケットフレームをデマッピングし、宛先に対応した多重装置６３，６４にパケットフレームを伝送する。多重装置６３，６４は、多重分離したパケットデータを、宛先に対応した端末装置６１−１〜６１−ｎ，６２−１〜６２−ｍに伝送する。それにより、端末装置間でデータ伝送を行うことができる。
【０００５】
パケット多重を行う場合、例えば、図７に示すように、低レートデータ伝送網対応のポートが８個の場合、そのポート対応のバッファＦｉＦｏ１〜ＦｉＦｏ８と、多重化部ＭＵＸとを備え、１００Ｂａｓｅ−Ｔの低レートデータ伝送網を介して受信した１００ＭｂｐｓのパケットデータをバッファＦｉＦｏ１〜ＦｉＦｏ８に一旦蓄積し、多重化部ＭＵＸによりパケット対応に多重化して、１Ｇｂｐｓのパケットフレームとして、１０００Ｂａｓｅ−Ｔの高レートデータ伝送網に送出する。
【０００６】
この場合、例えば、バッファＦｉＦｏ１に入力するパケットＡ１，Ａ２，Ａ３，・・・を６４バイト長、バッファＦｉＦｏ２〜ＦｉＦｏ８にそれぞれ入力するパケットＢ１，Ｃ１，Ｄ１，Ｅ１，Ｆ１，Ｇ１，Ｈ１，Ｂ２，Ｃ２，Ｄ２，Ｅ２，Ｆ２，Ｇ２，Ｈ２を、それぞれ１５３６バイト長、各パケットの間隔を１２バイト長とし、パケットＡ１，Ｂ１，Ｃ１，Ｄ１，Ｅ１，Ｆ１，Ｇ１，Ｈ１，Ａ２，・・・の順に多重化して高レートデータ伝送網に送出したとすると、バッファＦｉＦｏ２〜ＦｉＦｏ８の７ポート分のパケットの多重化送出時間は８６μｓとなる。即ち、（１５３６＋１２）×７×８×１０−９＝８６×１０−６〔ｓ〕となる。
【０００７】
その為、バッファＦｉＦｏ１は、この８６μｓ間に６４バイト長の１４３パケットを蓄積する容量を必要とし、且つ８６μｓの遅延が生じることになる。又このような揺らぎを吸収する為に、受信側でも多重分離後のパケットを蓄積するバッファを必要とし、このバッファによる遅延も加わることになる。
【０００８】
又ＶＬＡＮ（Ｖｉｔｕａｌ　Ｌｏｃａｌ　Ｎｅｔｗｏｒｋ）等を適用する場合、多重ＶＬＡＮとするか或いはＶＬＡＮタグの割当制御を行う必要がある。その場合、低レートデータ伝送網と高レートデータ伝送網との通信事業者が異なると、ＶＬＡＮの仕様が同一でない場合が生じるので、実現が困難となることがある。
【０００９】
又２系統の高レートデータ伝送網のパケット、例えば１．２５Ｇｂｐｓのパケットを８Ｂ１０Ｂ符号変換により、１Ｇｂｐｓの伝送レートに変換し、２系統のパケットをバイト単位で２多重して、２．４Ｇｂｐｓの高レートデータ伝送網により伝送するシステムが知られている（例えば、特許文献１参照）。
【００１０】
【特許文献１】
特願２００１−４５０６９号公報（図１）
【００１１】
【発明が解決しようとする課題】
端末装置を接続した低レートデータ伝送網のパケットデータを多重化して、高レートデータ伝送網を介して伝送する場合、パケット多重化を適用すると、図７を参照して説明したように、伝送遅延揺らぎが大きくなり、この揺らぎを吸収する為にバッファを設けることになるが、それによる遅延も加わることになって、伝送遅延が大きくなる問題がある。更に、パケット長が長い場合、１回に送信する為の時間が長くなり、他の回線からのパケットに対する送信開始に悪影響を及ぼす可能性が生じる。
【００１２】
又パケット多重化に対して、例えば、前述の特許文献１に示すような時分割多重化を適用して、低レートデータ伝送網から高レートデータ伝送網にパケットを伝送することが考えられる。その場合、低レートデータ伝送網に於いては、常時パケットが伝送されているものではない。従って、時分割多重化した場合に、無効データを多重化することになり、受信側では正確な多重分離が困難となる問題がある。
【００１３】
本発明は、従来の問題点を解決するもので、低レートデータ伝送網に対して固定的な帯域割当てを可能とし、且つ多重分離側で有効データか無効データかの識別を容易とすることを目的とする。
【００１４】
【課題を解決するための手段】
本発明のデータ伝送方法は、１Ｇｂｐｓ以上等の高レートデータ伝送網を介して、１００Ｍｂｐｓ程度或いはそれ以下の低レートデータ伝送網間でデータ伝送を行うデータ伝送方法であって、複数ポート対応の低レートデータ伝送網から入力されたパケットデータを時分割多重し、複数ポート対応のパケットデータの有効／無効を示す有効／無効フィールドと多重化データとを情報フィールドに挿入し、宛先アドレスを含むヘッダを付加してパケットフレームを構成し、このパケットフレームを高レートデータ伝送網に送出する過程と、高レートデータ伝送網を介して受信したパケットフレームの情報フィールドの多重化データを多重分離し、且つ有効／無効フィールドにより有効としたポート対応の前記多重分離したデータによりパケットデータを復元し、このパケットデータをポート対応の低レートデータ伝送網に送出する過程を含むものである。
【００１５】
又複数ポート対応の低レートデータ伝送網の帯域を例えば総て１００Ｍｂｐｓとし、この帯域をポート数倍とした帯域、例えば、８ポートの場合１Ｇｂｐｓの帯域を高レートデータ伝送網に確保して、高レートデータ伝送網を介して低レートデータ伝送網間のデータ伝送を行う過程を含むものでしる。
【００１６】
又本発明のデータ伝送装置は、図１を参照して説明すると、高レートデータ伝送網を介して低レートデータ伝送網間のデータ伝送を行う為のデータ伝送装置であって、高レートデータ伝送網に対する送信部と受信部とを有し、送信部は、低レートデータ伝送網からのパケットデータを受信する複数ポートと、この複数ポート対応の入力バッファ１−１〜１−８と、パケットデータ毎に予め決められた位置に時分割多重する多重化部２と、この多重化部２による多重化データに、複数ポート対応のパケットデータの有効／無効を示す有効／無効フィールドを付加して情報フィールドに挿入し、ヘッダ生成部４からのヘッダを付加してパケットフレームを形成して送出するパケットフレーム生成送出部３とを有し、受信部は、高レートデータ伝送網を介して受信したパケットフレームの情報フィールドから、有効／無効フィールドと多重化データとを抽出するデータ抽出部７と、このデータ抽出部７により抽出した多重化データを、複数ポート対応に多重分離を行う多重分離部８と、複数ポート対応のデータの有効／無効フィールドにより有効を示すデータをパケットデータとして、低レートデータ伝送網に送出する複数ポート対応の出力バッファ１０−１〜１０−８とを有するものである。
【００１７】
又多重分離部８により分離され、且つ有効／無効フィールドにより有効としたデータによるパケットデータについてチェックを行うフレームチェック部９−１〜９−８を備えている。又複数ポートを８ポートとし、多重化部２により８ポート対応のパケットデータをバイト単位で時分割多重化し、有効／無効フィールドを８ポート対応の８ビット構成とし、この８ビット構成の有効／無効ビットにより、８ポート対応のパケットデータの有効／無効を表示することができる。
【００１８】
【発明の実施の形態】
図１は本発明の実施の形態の説明図であり、低レートデータ伝送網側を８ポート、高レートデータ伝送網側を１ポートの構成のデータ伝送装置について示し、１−１〜１−８は入力バッファ、２は多重化部（ＭＵＸ）、３はパケットフレーム生成送出部、４はヘッダ生成部、５はパケットフレーム送出タイミング生成部、６はパケットフレームチェック部、７はデータ抽出部、８は多重分離部（ＤＥＭＵＸ）、９−１〜９−８はフレームチェック部、１０−１〜１０−８は出力バッファを示す。又ＥＮＢは有効／無効ビットを示す。
【００１９】
入力バッファ１−１〜１−８と、多重化部２と、パケットフレーム生成送出部３と、ヘッダ生成部４と、パケットフレーム送出タイミング生成部５とを含む構成により送信部を構成し、パケットフレームチェック部６と、データ抽出部７と、多重分離部８と、フレームチェック部９−１〜９−８と、出力バッファ１０−１〜１０−８とを含む構成により受信部を構成している。
【００２０】
低レートデータ伝送網からの入力されたパケットデータを入力バッファ１−１〜１−８にそれぞれ一時的に蓄積し、多重化部２に於いてバイト単位に時分割多重を行ってパケットフレーム生成送出部３に転送する。又入力バッファ１−１〜１−８或いは多重化部２に於いてポート対応のパケットデータの有無を識別し、パケットデータ有りの場合は有効、無しの場合は無効を示す有効／無効ビットＥＮＢをパケットフレーム生成送出部３に入力する。又ヘッダ生成部４は、高レートデータ伝送網を介して対向するデータ伝送装置に対する送信先アドレスと、自データ伝送装置を示す送信元アドレスとを含むヘッダを生成し、パケットフレーム生成送出部３に入力する。
【００２１】
パケットフレーム生成送出部３は、多重化部２に於いてポート対応のパケットデータをバイト単位に時分割多重し、有効／無効ビットＥＮＢによる有効／無効フィールドを先頭に付加して、情報フィールドに挿入し、この情報フィールドに挿入したデータに対するフレームチェックシーケンスＦＣＳを求めて後尾に付加し、又ヘッダ生成部４からのヘッダを先頭に付加してパケットフレームを生成し、パケットフレーム送出タイミング生成部５からの送出タイミング信号に従って、パケットフレームを高レートデータ伝送網に送出する。
【００２２】
又高レートデータ伝送網を介してパケットフレームを受信すると、パケットフレームチェック部６に於いて自データ伝送装置宛か否かをヘッダにより識別し、自データ伝送装置宛のパケットフレームをデータ抽出部７に転送する。データ抽出部７は、有効／無効フィールドのポート対応の有効／無効ビットＥＮＢを、ポート対応のフレームチェック部９−１〜９−８に転送し、又は時分割多重された多重化データを多重分離部８に転送する。
【００２３】
多重分離部８は、バイト単位に多重分離して、それぞれフレームチェック部９１〜９−８に転送する。フレームチェック部９−１〜９−８は、有効／無効ビットＥＮＢが無効を示す場合、チェック処理を行わないが、有効を示す場合は、ポート対応のパケットデータに付加されているフレームチェックシーケンスＦＣＳを用いて伝送エラーの有無を判定する。エラーがなければ、出力バッファ１０−１〜１０−８を介して、ポート対応の低レートデータ伝送網に送出する。
【００２４】
図２は多重化処理の説明図であり、（ａ）は低レートデータ伝送網からのパケットデータ、（ｂ）はポート０のバイト単位のデータＰ０、（ｃ）は有効／無効フィールドＥＮを先頭に付加したバイト多重化データ、（ｄ）はパケットフレームを示す。又（ａ）のパケットデータのＤＡは宛先アドレス（Ｄｅｓｔｉｎａｔｉｏｎ　Ａｄｄｒｅｓｓ）、ＳＡは送信元アドレス（Ｓｏｕｒｃｅ　Ａｄｄｒｅｓｓ）、Ｔ／Ｌはタイプ及び長さフィールド、ＩＦは情報フィールド（Ｉｎｆｏｒｍａｔｉｏｎ　Ｆｉｅｌｄ）、ＦＣＳはフレームチェックシーケンス（Ｆｒａｍｅ　Ｃｈｅｃｋ　Ｓｅｑｕｅｎｃｅ）を示す。
【００２５】
又（ｂ）は、ポート０〜７の中のポート０の（ａ）に示すパケットデータを、８ビット毎、即ち、バイト単位に分割してＰ０として示すものである。又（ｃ）は、ポート０のバイト単位データをＰ０として、ポート１〜７のバイト単位のデータをＰ１〜Ｐ７として示し、例えば、図１の入力バッファ１−１〜１−７に入力されたパケットデータのポート０〜７対応のバイト単位データＰ０〜Ｐ７を、多重化部２に於いて時分割多重化し、その先頭に、入力バッファ１−１〜１−７又は多重化部２からのポート０〜７対応の有効／無効ビットＥＮＢからなる有効／無効フィールドＥＮを付加する。
【００２６】
なお、（ｃ）に於いては、便宜上、各バイトは同一長さで図示していないが、実際は、有効／無効フィールドＥＮを含めて、それぞれ同一の１バイトの長さである。又有効／無効ビットＥＮＢは、“１”を有効、“０”を無効として有効／無効を表示することができる。従って、（ｃ）の先頭の有効／無効フィールドＥＮは、総て“１”の場合を示しているから、ポート０〜７のパケットデータは総て有効である。
【００２７】
又（ｄ）は、高レートデータ伝送網に送出するパケットフレームを示し、ＤＡは高レートデータ伝送網に於ける宛先アドレス、ＳＡは送信元アドレス、Ｔ／Ｌはタイプ及び長さフィールド、ＩＦは情報フィールド、ＦＣＳはフレームチェックシーケンスを示す。この情報フィールドＩＦに、（ｃ）に示すバイト単位の多重化データを挿入し、フレームチェックシーケンスＦＣＳを算出して付加する。又ヘッダ生成部４（図１参照）に於いて宛先アドレスＤＡと送信元アドレスＳＡとタイプ及び長さフィールドＴ／Ｌを含むヘッダを生成し、パケットフレーム生成送出部３に於いてそのヘッダを付加し、（ｄ）に示すパケットフレームを生成して、高レートデータ伝送網に送出する。従って、低レートデータ伝送網のパケットデータを時分割多重化して、高レートデータ伝送網に於けるパケットフレームによりカプセル化した場合に相当する。それにより、低レートデータ伝送網に接続した端末装置間のＭＡＣレイヤの制御パケット等もそのまま転送することが可能となる。
【００２８】
図３は多重化処理の説明図であり、（ａ）はポート０〜７の低レートデータ伝送網からのパケットデータ、（ｂ）は時分割多重による高レートデータ伝送網に送出するパケットフレームを示す。又Ｐ０１，Ｐ０２，・・・、〜Ｐ７１，Ｐ７２，・・・は、ポート０〜７対応のパケットデータを示す。ポート０〜７対応の低レートデータ伝送網を１００Ｍｂｐｓとすると、８ポート分の多重化により、８００Ｍｂｐｓの伝送帯域を必要とすることになる。そこで、高レートデータ伝送網に例えば１Ｇｂｐｓの帯域を割当てる。このような帯域割当てを行った場合、高レートデータ伝送網を介してデータ伝送を行う低レートデータ伝送網は、それぞれ確実に１００Ｍｂｐｓの帯域を確保することができ、パケットフレーム間隔も充分とることができる。従って、他のポートのパケットが長い場合の待ち合わせの為のバッファ容量が必要でなく、又伝送遅延揺らぎも殆ど無くなり、低レートデータ伝送網間を専用線で接続した場合と等価となる。
【００２９】
又図３の（ａ）に於いては、入力バッファ１−１〜１−７（図１参照）に入力されるパケットデータのタイミングが異なる場合でも、ポート０〜７対応のパケットデータを多重化部２に於いて時分割多重し、８バイト毎に有効／無効フィールドＥＮを付加して９バイト長とする。この時分割多重タイミングに入力バッファ１−１〜１−７に受信パケットデータが無い場合は、有効／無効ビットＥＮＢは“０”の無効ビットとし、入力バッファ１−１〜１−７に受信パケットデータが有る場合は、有効／無効ビットＥＮＢを“１”の有効ビットとする。
【００３０】
これを、（ｂ）に示す高レートデータ伝送網に送出するパケットフレームの情報フィールドＩＦのバイト長に従った単一又は複数を、その情報フィールドＩＦに挿入し、ヘッダＨＤを付加してパケットフレームを構成し、高レートデータ伝送網に送出する。この場合、固定長フレームとなり、所定のフレーム間隔をおいて送出することより、固定サイクルでパケットフレームを高レートデータ伝送網に送出し、予め確保された伝送帯域により高速伝送が可能となる。
【００３１】
図４は多重分離処理の説明図であり、図１に於ける受信部のデータ抽出部７と多重分離部８とを含む構成に於ける多重分離の動作を示す。同図の（ａ）は高レートデータ伝送網を介して受信したパケットフレーム、（ｂ）はそのパケットフレームの情報フィールドＩＦから抽出した多重化データ、（ｃ）は、ポート０対応の多重分離データ、（ｄ）は有効データ、（ｅ）は復元したパケットデータを示す。
【００３２】
高レートデータ伝送網から受信した（ａ）に示すパケットフレームを、パケットフレームチェック部６（図１参照）により受信し、その宛先アドレスＤＡにより自データ伝送装置宛であることを識別して、データ抽出部７に転送する。データ抽出部７は、情報フィールドＩＦから多重化データを抽出して、多重分離部８に転送する。この多重分離部８又はデータ抽出部７に於いて有効／無効フィールドＥＮのポート０〜７対応の有効／無効ビットＥＮＢを識別し、フレームチェック部９−１〜９−８に通知する。図１に於いては、データ抽出部７に於いて識別した有効／無効ビットＥＮＢをフレームチェック部９−１〜９−８に通知する場合を示している。
【００３３】
又図４の（ｂ）に示す有効／無効フィールドＥＮの８ビットの有効／無効ビットは総て“１”として示す場合であるから、ポート０〜７対応のデータは有効であることを示している。又多重分離部８は、各ポート０〜７対応に多重分離を行うものであり、従って、ポート０対応には、図４の（ｃ）示すように、データＰ０のみ分離することになる。
【００３４】
この場合、ＥＮ＝０として示すデータＰ０は無効であり、又ＥＮ＝１として示すデータＰ０が有効であるから、このＥＮ＝１の期間ＴＥ内のデータＰ０についてチェックし、出力バッファ１０−１には、（ｄ）に示す有効データが蓄積される。このデータは、（ｅ）に示すように、宛先アドレスＤＡと送信元アドレスＳＡとタイプ及び長さフィールドＴ／Ｌと情報フィールドＩＦとフレームチェックシーケンスＦＣＳとを含むパケットデータとなり、低レートデータ伝送網に送出する。
【００３５】
図５はデータ伝送システムの説明図であり、３１，３２はデータ伝送装置、３３はデータ伝送網、３４，３５は端末装置を示す。データ伝送装置３１，３２は、前述の図１に示す構成を有するものであり、端末装置３４，３５は低レートデータ伝送網を介してデータ伝送装置３１，３２と接続し、データ伝送装置３１，３２間をデータ伝送網３３を介して接続し、データ伝送装置３１，３２に於いて前述のように低レートデータ伝送網を介して受信したパケットデータを時分割多重し、ポート対応の有効／無効ビットを含む有効／無効フィールドを付加して、データ伝送網３３に送出する。
【００３６】
データ伝送網３３を介してパケットフレームを受信したデータ伝送装置３１，３２は、多重分離し、且つ有効／無効フィールドを参照して、有効データのみを用いて低レートデータ伝送網を介して端末装置３４，３５に送出する。従って、高レートデータ伝送網を構成するデータ伝送網３３には、低レートデータ伝送網間を、鎖線で示すように、専用線接続を行った場合と等価となり、低レートデータ伝送網に於ける各種の制御情報等についても専用線の場合と同様に、プロトコル変換等を行うことなく伝送することができる。
【００３７】
本発明は、前述の各実施の形態にのみ限定されるものではなく、種々付加変更することが可能であり、前述の複数ポートを例えば１６個とすると、有効／無効フィールドは１６ビット構成とし、２バイト単位で多重化及び多重分離を行うことにより、低レートデータ伝送網からのパケットデータを多重化して高レートデータ伝送網を介して伝送することができる。
【００３８】
又前述のように、低レートデータ伝送網のパケットデータは、高レートデータ伝送網のパケットフレームよりカプセル化されたものであり、従って、低レートデータ伝送網に於ける制御パケット等をカプセル化により伝送することができるから、高レートデータ伝送網と低レートデータ伝送網とのネットワーク管理を完全に分離することが可能である。又それにより、異なる通信事業者による高レートデータ伝送網と低レートデータ伝送網の場合でも、ＶＬＡＮタグを付加することが可能となり、更に上位の多重ＶＬＡＮ等の多重化も可能となる。
【００３９】
【発明の効果】
以上説明したように、本発明は、複数ポート対応のパケットデータを時分割多重し、複数ポート対応のパケットデータの有効／無効を示す有効／無効フィールドＥＮをバイト多重データに付加して、パケットフレームの情報フィールドに挿入し、高レートデータ伝送網に於ける宛先アドレス等を含むヘッダを付加してパケットフレームを構成し、高レートデータ伝送網に送出し、このパケットフレームを受信して情報フィールドから抽出した多重化データを多重分離し、又有効／無効フィールドを参照して有効を示すデータについてのみ処理して、低レートデータ伝送網に送出するパケットデータを復元するもので、低レートデータ伝送網を固定帯域とすることにより、高レートデータ伝送網を介して多重伝送する場合に、低レートデータ伝送網間を専用線と等価なデータ伝送環境を提供することができる。従って、送信待ちの大きな容量のバッファの省略を可能としてコストダウンを図り、又伝送遅延揺らぎが少なく、且つ伝送遅延も少なくなるから、伝送効率の良いデータ伝送が可能となる利点がある。
【図面の簡単な説明】
【図１】本発明の実施の形態の説明図である。
【図２】多重化処理の説明図である。
【図３】多重化処理の説明図である。
【図４】多重分離処理の説明図である。
【図５】データ伝送システムの説明図である。
【図６】従来のデータ伝送システムの説明図である。
【図７】従来の多重化データ伝送の説明図である。
【符号の説明】
１−１〜１−８　入力バッファ
２　多重化部（ＭＵＸ）
３　パケットフレーム生成送出部
４　ヘッダ生成部
５　パケットフレーム送出タイミング生成部
６　パケットフレームチェック部
７　データ抽出部
８　多重分離部（ＤＥＭＵＸ）
９−１〜９−８　フレームチェック部
１０−１〜１０−８　出力バッファ
【図１】
2004120503.tif 000003
【図２】
2004120503.tif 000004
【図３】
2004120503.tif 000005
【図４】
2004120503.tif 000006
【図５】
2004120503.tif 000007
【図６】
2004120503.tif 000008
【図７】
2004120503.tif 000009